Podtech/llm-jp-corpus-v4-ja_patent huggingface dataset:
【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
SEQ ID NO：57のアミノ酸配列に対して少なくとも90％の配列同一性を含む、バリアントアシル-ACPレダクターゼ（AAR）ポリペプチドであって、アミノ酸位置18にS18Wである突然変異を含み、且つアシル-ACPから脂肪アルデヒドへの変換を触媒する、AARポリペプチド。
【請求項２】
組換え宿主細胞におけるバリアントAARポリペプチドの発現が、対応する野生型宿主細胞における野生型AARポリペプチドの発現によって産生される力価と比較して、より高い力価の脂肪アルコール組成物をもたらす、請求項1記載のバリアントAARポリペプチド。
【請求項３】
脂肪アルコール組成物が、C12またはC14脂肪アルコール組成物である、請求項2記載のバリアントAARポリペプチド。
【請求項４】
アミノ酸8、16、21、24、31、34、35、43、50、63、86、112、113、116、118、120、135、148、153、154、155、157、159、168、172、187、188、191、209、210、211、236、277、281、283、285、291、324、328、335、337および338からなる群より選択されるアミノ酸位置に突然変異をさらに含む、請求項1〜4のいずれか一項記載のバリアントAARポリペプチド。
【請求項５】
突然変異が、L8A、D16L、M21L、D24E、D24Y、D24V、D24P、L31V、L31M、W34F、W35F、D43E、A50Q、C63A、C63G、C63Y、S86G、A112R、S113K、Q116G、R118Q、T120S、A135S、T148C、T148E、T148V、I153P、T154A、Q155C、Q155L、T157V、A159V、I168V、C172L、T187V、T188H、T188V、Q191A、L209R、E210Y、A211W、T236C、Q277V、A281L、E283G、E283S、A285V、M291V、A324T、A328S、Q335N、L337VおよびL338Wからなる群より選択される、請求項4記載のバリアントAARポリペプチド。
【請求項６】
M21L突然変異、C63GA突然変異、S113K突然変異、T154A突然変異、A281L突然変異、またはL8A突然変異を含む、請求項5記載のバリアントAARポリペプチド。
【請求項７】
（a）M21L突然変異、C63G突然変異、S113K突然変異、T154A、およびA281L突然変異をさらに含み、好ましくはSEQ ID NO：58のアミノ酸配列を含む；
（b）L8A突然変異、M21L突然変異、C63G突然変異、S113K突然変異、T154A突然変異、およびA281L突然変異をさらに含み、好ましくはSEQ ID NO：59のアミノ酸配列を含む；
（c）D16L突然変異、M21L突然変異、C63G突然変異、S113K突然変異、T154A突然変異、およびA281L突然変異をさらに含み、好ましくはSEQ ID NO：60のアミノ酸配列を含む；
（d）L8A突然変異、D24V突然変異、C63G突然変異、S113K突然変異、Q155L突然変異、およびA281L突然変異をさらに含み、好ましくはSEQ ID NO：61のアミノ酸配列を含む；
（e）D24P突然変異、L31M突然変異、C63G突然変異、S113K突然変異、T154A突然変異、およびA281L突然変異をさらに含み、好ましくはSEQ ID NO：62のアミノ酸配列を含む；
（f）L8A突然変異、D16L突然変異、D24V突然変異、C63G突然変異、S113K突然変異、T154A突然変異、およびA281L突然変異をさらに含み、好ましくはSEQ ID NO：63のアミノ酸配列を含む；または
（g）D24E突然変異、C63G突然変異、S113K突然変異、T154A突然変異、およびA281L突然変異をさらに含み、好ましくはSEQ ID NO：64のアミノ酸配列を含む、
請求項1〜3のいずれか一項記載のバリアントAARポリペプチド。
【請求項８】
請求項1〜7のいずれか一項記載のバリアントAARポリペプチドを発現する組換え宿主細胞。
【請求項９】
炭素源を含有する培地中で、バリアントAARポリペプチドを発現させるのに有効な条件下で培養した時に、対応する野生型AARポリペプチドを発現する宿主細胞によって産生される脂肪アルコール組成物の力価を少なくとも10％上回る、少なくとも15％上回る、少なくとも20％上回る、少なくとも25％上回る、または少なくとも30％上回る力価の脂肪アルコール組成物を産生し、好ましくは脂肪アルコール組成物が細胞外に産生される、請求項8記載の組換え宿主細胞。
【請求項１０】
脂肪アルコール組成物が約30g／L〜約250g／Lの力価で産生される、請求項9記載の組換え宿主細胞。
【請求項１１】
請求項8〜10のいずれか一項記載の組換え宿主細胞を含む細胞培養物。
【請求項１２】
脂肪アルコール組成物が、C6、C8、C10、C12、C13、C14、C15、C16、C17、およびC18脂肪アルコールのうち1つまたは複数を含む、請求項11記載の細胞培養物。
【請求項１３】
脂肪アルコール組成物が、
（a）C10：1、C12：1、C14：1、C16：1、およびC18：1不飽和脂肪アルコールのうち1つまたは複数；
（b）不飽和脂肪アルコール；
（c）脂肪アルコールの還元末端からC7〜C8の間の炭素鎖の位置7に二重結合を有する脂肪アルコール；または
（d）飽和脂肪アルコール
を含む、請求項12記載の細胞培養物。
【請求項１４】
力価の増大した脂肪アルコール組成物を生産する方法であって、
i．請求項8記載の宿主細胞を炭素源とともに培養する段階；および
ii．脂肪アルコール組成物を採取する段階
を含む方法。
【請求項１５】
脂肪アルコール組成物の力価が、野生型AARを発現する宿主細胞によって産生される脂肪アルコール組成物の力価を少なくとも20％〜30％上回る、請求項14記載の方法。
【手続補正２】
【補正対象書類名】明細書
【補正対象項目名】配列表
【補正方法】変更
【補正の内容】
【配列表】
2016503663000001.app
【手続補正書】
【提出日】平成28年11月1日(2016.11.1)
【手続補正１】
【補正対象書類名】特許請求の範囲
【補正対象項目名】全文
【補正方法】変更
【補正の内容】
【特許請求の範囲】
【請求項１】
医療用デバイスの位置決めを支援するための装置であって、
−  撮像装置によって獲得された対象物のＸ線投影画像を受信するための入力ポートと、
−  前記対象物、及び／又は前記対象物内若しくはその周囲に位置する医療用デバイスに関する長さ情報をユーザが読み取ることを可能にするために、前記Ｘ線投影画像上にオーバーレイされるバーチャルゲージを画面上に表示するために生成するユーザインターフェース発生器と
を備え、
前記ユーザインターフェース発生器が、前記対象物の前記Ｘ線投影画像を獲得する際の前記撮像装置の撮像幾何学設定に基づいて前記バーチャルゲージの目盛りを自動的にスケール調整する、装置。
【請求項２】
ユーザインターフェース発生器の自動スケール調整動作が、前記Ｘ線投影画像内の前記医療用デバイスのフットプリントのセグメント化にさらに基づく、請求項１に記載の装置。
【請求項３】
目盛り間距離は自然距離単位で表現されるか前記自然距離単位に関係して表現され、前記自然距離単位と、画面上で対応する画素数との間の単位変換は、前記撮像装置の前記撮像幾何学設定に基づく、請求項１又は２に記載の装置。
【請求項４】
前記ユーザインターフェース発生器が、前記整合されたバーチャルゲージを画像平面上の位置にオーバーレイするように動作し、前記位置がユーザ定義されるか、又は前記ユーザインターフェース発生器が、予め設定された長さ値に基づいて前記位置を自動的に決定するように動作する、請求項１乃至３のいずれか一項に記載の装置。
【請求項５】
前記ユーザインターフェース発生器が、前記Ｘ線投影画像上にオーバーレイされる第１のマーカを前記画面上に表示するために生成し、前記第１のマーカが、前記医療用デバイスの次の適用位置を示す、請求項１乃至４のいずれか一項に記載の装置。
【請求項６】
前記ユーザインターフェース発生器が、第２のマーカを前記第１のマーカから所定の距離で前記画面上に表示するために生成し、前記第２のマーカが、前記医療用デバイスの直前の適用位置を示す、請求項５に記載の装置。
【請求項７】
２つの前記マーカのそれぞれの位置が方向を定義し、
前記ユーザインターフェース発生器が、前記方向を、前記整合されたデジタルゲージの向きと自動的に整合するように動作可能である、請求項６に記載の装置
【請求項８】
前記バーチャルゲージがリードラインを含み、
前記方向が、前記リードラインによって前記画面上に示され、
ｉ）前記マーカの少なくとも一方が、前記リードラインを横切って延びるように表示される棒状の線分である、又は
ｉｉ）２つの前記マーカの少なくとも一方が、十字線記号として表示される、請求項６又は７に記載の装置。
【請求項９】
前記医療用デバイスが、一度に１点で前記対象物を除神経するのに適した通電可能な除神経カテーテルアセンブリであり、各点が、前記位置のそれぞれに対応し、前記位置のそれぞれで前記除神経カテーテルアセンブリに通電すると、前記除神経カテーテルアセンブリが信号を発出する、請求項１乃至８のいずれか一項に記載の装置。
【請求項１０】
前記対象物が、ヒト又は動物患者の腎動脈である、請求項１乃至９のいずれか一項に記載の装置。
【請求項１１】
−  請求項１乃至１０のいずれか一項に記載の装置と、
−  １つ又は複数の画像を供給するＸ線撮像装置と、
−  前記１つ又は複数の画像を表示するための画面と、
−  前記１つ又は複数の画像によって支援される除神経インターベンション用の除神経カテーテルアセンブリ又はシステムと
を備える、医療用撮像システム。
【請求項１２】
医療用デバイスの位置決めを支援する方法であって、
−  対象物、及び／又は前記対象物内若しくはその周囲に位置する医療用デバイスのＸ線投影画像を受信するステップと、
−  表示のためにバーチャルゲージを前記Ｘ線投影画像上で自動的に整合し、且つオーバーレイするステップであって、それによって、前記バーチャルゲージの方向が、
ｉ）前記医療用デバイスの向き、及び／又は
ｉｉ）前記対象物の向き
と整合されるステップと、
−  前記対象物又は医療用デバイス向きの変化を検出すると、前記方向を整合し直すステップと
を含む、方法。
【請求項１３】
−  前記対象物内又はその周囲の前記医療用デバイスの現在の適用位置を示す信号を受信するステップと、
−  前記Ｘ線投影画像上にオーバーレイされるマーカを画面上に表示するために生成するステップであって、前記マーカが、前記現在の適用位置から第１の所定の距離で、前記医療用デバイスのための次の適用位置を示すステップと、
−  第２の適用位置を示す信号の受信に応答して、前記次の適用位置から第２の所定の距離にある前記第２の適用位置に関する第２のマーカをオーバーレイするステップと
を更に含む請求項１２に記載の方法。
【請求項１４】
処理ユニットによって実行されるときに請求項１２又は１３に記載の方法のステップを実施する、請求項１乃至１１のいずれか一項に記載の装置を制御するためのコンピュータプログラム。
【請求項１５】
請求項１４に記載のプログラムを記憶したコンピュータ可読媒体。
【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
骨切り部位にねじ込む種類の骨用インプラントであって、
円錐形にテーパーのつけられた輪郭を有する本体を備えており、前記本体が先端部と冠状端部とを含んでおり、前記本体の中央領域が前記先端部と冠状端部の間に延在しており、
前記先端部が、前記本体が強制的に第一の回転方向で回転されながら、前記本体を徐々に前記骨切り部位の中をより深く前進するための先端部ねじ山輪郭を有しており、
前記中央領域は、長手軸方向に延在する少なくとも一つのバニシング刃を含んでおり、前記バニシング刃は、前記インプラントが所定の位置にねじ込まれる間、バニシング動作で前記骨切り部位の内面に対して、円周方向に通過する圧縮ひずみを適用するように構成されていることを特徴とするインプラント。
【請求項２】
前記先端部ねじ山輪郭は右回り方向のねじれを有し、前記バニシング刃は左回り方向のらせん状のねじれを有することを特徴とする請求項１に記載のインプラント。
【請求項３】
前記バニシング刃は実質的にマージンレスであり、前記バニシング刃は前記骨切り部位の中に強制的に前進するとき反対の軸方向の反力を発生させることを特徴とする請求項１に記載のインプラント。
【請求項４】
前記先端部ねじ山輪郭は右回り方向のねじれを有し、前記バニシング刃は左方向のらせん状のねじれを有し、前記中央領域は前記本体周囲に配置された複数の溝を含み、前記溝は前記バニシング刃の前記左回り方向のねじれに対応する左回り方向のらせん状のねじれを有し、前記少なくとも一つのバニシング刃は、複数の実質的に同一のバニシング刃を備え、前記バニシング刃のそれぞれは二つの隣接する前記溝の間に形成されていることを特徴とする請求項１に記載のインプラント。
【請求項５】
複数のランドをさらに含んでおり、前記ランドのそれぞれは二つの隣接する溝の間に形成され、前記それぞれのランドは前記バニシング刃の一つから前記第一の回転方向へとまっすぐに延在することを特徴とする請求項４に記載のインプラント。
【請求項６】
前記バニシング刃と交差する中央のねじ山輪郭をさらに含んでおり、前記中央のねじ山輪郭は前記第一の回転方向のらせん状のねじれを有することを特徴とする請求項１に記載のインプラント。
【請求項７】
前記中央のねじ山輪郭は頂点を有しており、前記バニシング刃は、前記頂点の間 の交差点のそれぞれにおいて、前記頂点よりわずかに突き出ていることを特徴とする請求項６に記載のインプラント。
【請求項８】
前記中央のねじ山輪郭は一条ねじの形式であることを特徴とする請求項６に記載のインプラント。
【請求項９】
前記先端部ねじ山輪郭は右回り方向のねじれを有し、前記バニシング刃は左回り方向のらせん状のねじれを有しており、前記冠状端部はコルク状要素を含み、前記コルク状要素は冠状のねじ山輪郭を含み、前記冠状のねじ山輪郭は右回り方向のねじれを有し、前記冠状のねじ山輪郭は冠状ピッチを有し、前記中央のねじ山輪郭は中央ピッチを有し、前記中央ピッチと前記冠状ピッチとが概ね等しいことを特徴とする請求項６に記載のインプラント。
【請求項１０】
前記先端部ねじ山輪郭は先端リードを有しており、前記中央のねじ山輪郭は中央リードを有しており、前記中央リードと前記先端リードとが等しいことを特徴とする請求項６に記載のインプラント。
【請求項１１】
孔にねじ込む種類のインプラントであって、
円錐形にテーパーのつけられた輪郭を有する本体を備えており、前記本体が先端部と冠状端部とを含んでおり、前記本体の中央領域が前記先端部と冠状端部の間に延在しており、
前記先端部が先端部ねじ山輪郭を有しており、前記先端部ねじ山輪郭が、前記本体が強制的に第一の回転方向で回転させられながら、前記本体を徐々に前記孔の中へより深く前進させるための、第一の方向のらせん状のねじれによって定義されており、
前記中央領域は、前記インプラントが所定の位置にねじ込まれる間、バニシング動作で前記孔の内面に対して、円周方向に通過する圧縮ひずみを適用するように構成されている複数のバニシング刃を含んでいることを特徴とするインプラント。
【請求項１２】
前記第一の回転方向は時計回り方向であり、前記先端部ねじ山輪郭は右回り方向のねじれを有しており、前記バニシング刃のそれぞれは左回り方向のらせん状のねじれを有することを特徴とする請求項１１に記載のインプラント。
【請求項１３】
前記バニシング刃のそれぞれは実質的にマージンレスであり、前記バニシング刃のそれぞれは前記骨切り部位の中に強制的に前進するとき反対の軸方向の反力を発生させることを特徴とする請求項１に記載のインプラント。
【請求項１４】
前記中央領域は前記本体周囲に配置された複数の溝を含んでおり、前記バニシング刃のそれぞれは二つの隣接する前記溝の間に形成されており、前記中央領域は複数のランドをさらに含んでおり、前記ランドのそれぞれは二つの隣接する前記溝の間に形成されており、前記ランドのそれぞれは前記バニシング刃の一つから前記第一の回転方向へまっすぐに延在することを特徴とする請求項１１に記載のインプラント。
【請求項１５】
前記バニシング刃に交差する中央のねじ山輪郭をさらに含んでおり、前記中央のねじ山輪郭は前記第一の回転方向のらせん状のねじれを有していることを特徴とする請求項１１に記載のインプラント。
【請求項１６】
前記先端部ねじ山輪郭は右回り方向のねじれを有し、前記バニシング刃は左回り方向のらせん状のねじれを有しており、前記冠状端部はコルク状要素を含み、前記コルク状要素は冠状のねじ山輪郭を含み、前記冠状のねじ山輪郭は右回り方向のねじれを有し、前記冠状のねじ山輪郭は冠状ピッチを有し、前記中央のねじ山輪郭は中央ピッチを有し、前記中央ピッチは前記冠状ピッチに概ね等しいことを特徴とする請求項１５に記載のインプラント。
【手続補正２】
【補正対象書類名】図面
【補正対象項目名】図１８
【補正方法】変更
【補正の内容】
【図１８】
2016503666.tif 000001
【手続補正３】
【補正対象書類名】図面
【補正対象項目名】図２０
【補正方法】変更
【補正の内容】
【図２０】
2016503666.tif 000002
【手続補正４】
【補正対象書類名】図面
【補正対象項目名】図２１
【補正方法】変更
【補正の内容】
【図２１】
2016503666.tif 000003
【手続補正５】
【補正対象書類名】図面
【補正対象項目名】図２２
【補正方法】変更
【補正の内容】
【図２２】
2016503666.tif 000004
【手続補正６】
【補正対象書類名】図面
【補正対象項目名】図２３
【補正方法】変更
【補正の内容】
【図２３】
2016503666.tif 000005
【手続補正書】
【提出日】平成28年11月9日(2016.11.9)
【手続補正１】
【補正対象書類名】特許請求の範囲
【補正対象項目名】全文
【補正方法】変更
【補正の内容】
【特許請求の範囲】
【請求項１】
第１の部分と第２の部分と第１の領域とを有する第１の素子であって、前記第１の素子の前記第１および第２の部分は導電性であり、前記第１の領域は、前記第１の素子の前記第１の部分と前記第２の部分との間に設けられて導電性でかつ断熱性である、第１の素子、
第３の部分と第４の部分と第２の領域とを有する第２の素子であって、前記第２の素子の前記第３および第４の部分は導電性であり、前記第２の領域は、前記第２の素子の前記第３の部分と前記第４の部分との間に設けられて導電性でかつ断熱性である、第２の素子、および
第１の熱電素子と第２の熱電素子とを含む複数の熱電素子
を備える熱電デバイスであって、
前記第１の熱電素子は、前記第１の素子の前記第２の部分上に設けられるとともに、前記第２の素子の前記第３の部分上に設けられており、
前記第２の熱電素子は、前記第２の素子の前記第４の部分上に設けられるとともに、前記第１の熱電素子から離れて設けられており、
熱電デバイス内の熱電素子がすべて同種の伝導性を有する熱電デバイス。
【請求項２】
前記第１および第２の素子は金属から作られている、請求項１に記載の熱電デバイス。
【請求項３】
前記第１および第２の素子は金属合金から作られている、請求項１に記載の熱電デバイス。
【請求項４】
前記第１の領域は一部をニッケルめっき銅材料から作られている、請求項１に記載の熱電デバイス。
【請求項５】
前記第１の領域は酸化物から作られている、請求項１に記載の熱電デバイス。
【請求項６】
前記第１の熱電素子はテルル化鉛（ＰｂＴｅ）から作られている、請求項１に記載の熱電デバイス。
【請求項７】
前記第１の熱電素子はビスマスカルコゲナイドから作られている、請求項１に記載の熱電デバイス。
【請求項８】
前記第１の熱電素子はシリコンゲルマニウムから作られている、請求項１に記載の熱電デバイス。
【請求項９】
前記第１の部分、前記第２の部分、前記第３の部分、および前記第４の部分は線形である、請求項１に記載の熱電デバイス。
【請求項１０】
前記第２および第３の部分は実質的に平行である、請求項１に記載の熱電デバイス。
【請求項１１】
前記第１の部分および前記第４の部分は９０度の角度である、請求項１に記載の熱電デバイス。
【請求項１２】
第１の部分と第２の部分と第１の領域とを有する素子であって、前記素子の前記第１および第２の部分は導電性であり、前記第１の領域は、前記素子の前記第１の部分と前記第２の部分との間に設けられて導電性でかつ断熱性であり、前記第１の部分は第１の表面を有し、前記第２の部分は前記第１の表面とは反対側の第２の表面を有する、素子、
前記素子の前記第１の部分の前記第１の表面に設けられている第１の熱電素子、および
前記素子の前記第２の部分の前記第２の表面に設けられている第２の熱電素子
を備える熱電デバイス。
【請求項１３】
第１の部分と第２の部分と第１の領域とを有する第１の素子であって、前記第１の部分は、第１の表面および前記第１の表面とは反対側の第２の表面を有し、前記第２の部分は、第３の表面および前記第３の表面とは反対側の第４の表面を有し、前記第１の部分および前記第２の部分は、導電性でかつ熱伝導性であり、前記第１の領域は、断熱性でかつ導電性であり前記第１の部分から前記第２の部分にまで延びる、第１の素子、
第３の部分と第４の部分と第２の領域とを有する第２の素子であって、前記第３の部分は、第５の表面および前記第５の表面とは反対側の第６の表面を有し、前記第４の部分は第７の表面および前記第７の表面とは反対側の第８の表面を有し、前記第３の部分および前記第４の部分は導電性でかつ熱伝導性であり、前記第２の領域は、断熱性でかつ導電性であり前記第３の部分から前記第４の部分にまで延び、前記第１、第３、第５、および第７の表面は熱電デバイスの一方の面と向かい合い、前記第２、第４、第６、および第８の表面は、熱電デバイスのもう一方の面と向かい合う、第２の素子、および
第１の接触エリアと第２の接触エリアとを有する第１の熱電素子であって、前記第１の熱電素子の前記第１の接触エリアは、前記第１の素子の前記第２の部分の前記第４の表面に電気的および機械的に結合され、前記第１の熱電素子の前記第２の接触エリアは、前記第２の素子の前記第３の部分の前記第５の表面に電気的および機械的に結合されている、第１の熱電素子
を備える熱電デバイスであって、（１）前記第１の素子の前記第２の部分の前記第３の表面、あるいは、（２）前記第２の素子の前記第４の部分の前記第７の表面、あるいは（１）と（２）の表面の両方には熱電素子が設けられていない、熱電デバイス。
【請求項１４】
階段構造における内面を有する第１の基板であって、前記第１の基板は、熱伝導性でかつ、第１の表面と第２の表面と第３の表面とを有し、前記第１および第２の表面は、実質的に平行でかつ、ある量だけずれており、前記第３の表面は、前記第１および第２の表面の間において前記第１および第２の表面に対して第１の角度で延びている第１の基板、
階段構造における内面を有する第２の基板であって、前記第２の基板は熱伝導性でかつ、第４の表面と第５の表面と第６の表面とを有しており、前記第４および第５の表面は、実質的に平行でかつ、ある量だけずれており、前記第６の表面は、前記第４および第５の表面の間において前記第４および第５の表面に対して第２の角度で延びている、第２の基板、
前記第１の基板の前記第１、第２、および第３の表面に設けられている熱伝導性でかつ電気絶縁性の第１の層、
第１の部分と第２の部分と第１の領域とを有する第１の導電性素子であって、前記第１の部分は、第７の表面と第８の表面とを有し、前記第２の部分は、第９の表面と第１０の表面とを有し、前記第１の領域は、第１の導電性素子の前記第１の部分と前記第２の部分との間に設けられており、前記第１の導電性素子は、熱伝導性でかつ電気絶縁性の前記第１の層に設けられている、第１の導電性素子、
前記第１の導電性素子の前記第２の部分の前記第１０の表面に設けられる熱電素子、および
第３の部分と第４の部分と第２の領域とを有する第２の導電性素子であって、前記第３の部分は、第１１の表面と第１２の表面とを有し、前記第４の部分は、第１３の表面と第１４の表面とを有し、前記第２の領域は、第２の導電性素子の前記第３の部分と前記第４の部分との間に設けられており、第２の導電性素子の前記第３の部分の前記第１１の表面は、前記熱電素子に設けられ、前記第２の導電性素子は、前記第２の基板の熱伝導性でかつ電気絶縁性の前記第２の層に設けられている、第２の導電性素子
を備える熱電デバイス。
【請求項１５】
前記第１または第２の基板は金属から作られている、請求項１４に記載の熱電デバイス。
【請求項１６】
前記第１または第２の基板は合金から作られている、請求項１４に記載の熱電デバイス。
【手続補正２】
【補正対象書類名】明細書
【補正対象項目名】発明の名称
【補正方法】変更
【補正の内容】
【発明の名称】熱電デバイス
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
固体担体、及び前記固体担体に結合したビス（グリオキシム）−遷移金属錯体を含む水分指示組成物と、
少なくとも１種類の吸湿性塩を含む改質剤と、を含む、改質された水分指示組成物を含み、
前記少なくとも１種類の吸湿性塩は、ハロゲン化物イオン、硝酸イオン、酢酸イオン、炭酸イオン、及び水酸化物イオンを含む群から選択されるアニオンを含み、
前記少なくとも１種類の吸湿性塩は、アンモニウム、アルカリ金属、アルカリ土類金属、及び遷移金属を含む群から選択されるカチオンを含み、
前記改質剤は、前記水分指示組成物と物理的に接触する、又は流体連通する、比色水分指示組成物。
【請求項２】
請求項１に記載の比色水分指示組成物を含む、比色相対湿度指示センサであって、
前記センサの光スペクトルは、前記センサが置かれている環境の相対湿度に従って定量的に変化する、比色相対湿度指示センサ。
【請求項３】
水分指示組成物の比色応答を調整する方法であって、
第１の臨界相対湿度を有する水分指示組成物を、前記第１の臨界相対湿度と異なる第２の臨界相対湿度を有する少なくとも１種類の吸湿性塩と組み合わせて、改質された水分指示組成物を調製する工程を含み、
少なくとも１種類の前記吸湿性塩は、前記水分指示組成物と物理的に接触し、又は流体連通し、
前記水分指示組成物は、固体担体及び前記固体担体に結合したビス（グリオキシム）−遷移金属錯体を含み、
少なくとも１種類の前記吸湿性塩は、ハロゲン化物イオン、硝酸イオン、酢酸イオン、炭酸イオン、及び水酸化物イオンを含む群から選択されるアニオンを含み、
少なくとも１種類の前記吸湿性塩は、アンモニウム、アルカリ金属、アルカリ土類金属、及び遷移金属を含む群から選択されるカチオンを含み、
前記改質された水分指示組成物の臨界相対湿度は、前記水分指示組成物の前記臨界相対湿度と異なる、方法。
【請求項４】
請求項１に記載の比色水分指示組成物を含む、比色水分指示カード。
【手続補正書】
【提出日】平成28年10月14日(2016.10.14)
【手続補正１】
【補正対象書類名】明細書
【補正対象項目名】００５９
【補正方法】変更
【補正の内容】
【００５９】
項目１は、第１の透明基板に配置される第１の透明導電体を含む第１のフィルムと、第２の透明基板に配置される第２の透明導電体を含む第２のフィルムと、を含むディスプレイスクリーンであって、第１のスペーサービーズを含む第１の高分子液晶組成物が、該第１のフィルムと該第２のフィルムとの間に、かつ該第１のフィルム及び該第２のフィルムと接触して、配置され、該第１の透明導電体及び該第２の透明導電体の少なくとも一方は、成形されているか、又は、該第１の透明導電体及び該第２の透明導電体の少なくとも一方は、パターン形成されている、ディスプレイスクリーンである。
【手続補正２】
【補正対象書類名】明細書
【補正対象項目名】００８３
【補正方法】変更
【補正の内容】
【００８３】
項目２５は、前記ディスプレイスクリーンを成形する工程を更に含む、項目２４に記載のディスプレイスクリーンの構築方法である。
項目２６は、前記高分子液晶組成物は、二色性色素を更に含む、項目６に記載のディスプレイスクリーンである。
【手続補正３】
【補正対象書類名】特許請求の範囲
【補正対象項目名】全文
【補正方法】変更
【補正の内容】
【特許請求の範囲】
【請求項１】
第１の透明基板に配置される第１の透明導電体を含む第１のフィルムと、
第２の透明基板に配置される第２の透明導電体を含む第２のフィルムと、
を含むディスプレイスクリーンであって、
第１のスペーサービーズを含む第１の高分子液晶組成物が、該第１のフィルムと該第２のフィルムとの間に、かつ該第１のフィルム及び該第２のフィルムと接触して、配置され、
該第１の透明導電体及び該第２の透明導電体の少なくとも一方は、成形されているか、又は、
該第１の透明導電体及び該第２の透明導電体の少なくとも一方は、パターン形成されている、ディスプレイスクリーン。
【請求項２】
ディスプレイシステムであって、
切替可能なディスプレイスクリーン上に、又は切替可能な該ディスプレイスクリーンを介して、光を投影するための照明デバイスを含み、
該ディスプレイスクリーンは、
第１の透明基板に配置される第１の透明導電体を含む第１のフィルムと、
第２の透明基板に配置される第２の透明導電体を含む第２のフィルムと、
を含み、
第１のスペーサービーズを含む第１の高分子液晶組成物が、該第１のフィルムと該第２のフィルムとの間に、かつ該第１のフィルム及び該第２のフィルムと接触して、配置され、
該第１の透明導電体及び該第２の透明導電体の少なくとも一方は、成形されているか、又は
該第１の透明導電体及び該第２の透明導電体の少なくとも一方は、パターン形成されている、ディスプレイシステム。
【請求項３】
ディスプレイスクリーンの構築方法であって、
１つの縁部を有する透明導電性電極にパターンをエッチングする工程であって、該透明導電性電極を基板に配置して、パターン形成された透明導電性電極を生産する、工程と、
該パターン形成された透明導電性電極の縁部をパターン形成されていない透明導電性電極の縁部に付着させる工程と、
該パターン形成された透明導電性電極と該パターン形成されていない透明導電性電極との間に、高分子液晶組成物とスペーサービーズを含む、硬化性溶液のビーズを適用する工程と、
該パターン形成された透明導電性電極を該パターン形成されていない透明導電性電極に積層し、これによって、該パターン形成された透明導電性電極と該パターン形成されていない透明導電性電極との間に、実質的に均等に該溶液を広げる工程と、
該硬化性溶液を硬化させて、ディスプレイスクリーンを形成する工程と、
を含む、方法。
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
イベント・データーを変換し共有するコンピューター実装方法であって、
計算デバイスを使用して、
変換サービスに発表するために複数の入力ソースを登録し、
前記変換サービスから１つ以上の予め定められた出力イベントを受けるために複数の自動化サブスクライバーを登録し、
各サブスクライバーが、デバイス、センサー、ソフトウェア・エージェントの任意の組み合わせを表し、
セキュリティ・ベースのアクセス・レベルを各サブスクライバーに関連付け、
前記登録された入力ソースの１つ以上が、前記入力ソースによって実行された１つ以上のアクションに応答して、１つ以上の発表を前記変換デバイスに供給し、各発表がデーター報告およびイベントの任意の組み合わせを表し、
前記変換サービスによって受けた任意の発表に対して、予め定められた発表変換、予め定められた発表変形、および予め定められた発表転送アクションの任意の組み合わせを実行することによって、前記出力イベントの１つ以上をトリガーし、
前記変換サービスが任意の特定の出力イベントをトリガーしたときはいつもで、当該出力イベントを各特定のサブスクライバーの前記アクセス・レベルに対応するように変更し、当該変更された出力イベントを前記特定のサブスクライバーに供給し、
任意のサブスクライバーが任意の変更された出力イベントを受けて、当該変更された出力イベントに応答してそれ自身のアクションを制御する、
ためのプロセス・アクションを実行することを含む、コンピューター実装方法。
【請求項２】
請求項１記載のコンピューター実装方法において、各サブスクライバーが、任意の受けた出力イベントにローカルに応答する、コンピューター実装方法。
【請求項３】
請求項１記載のコンピューター実装方法において、前記入力ソースの１つ以上が、ソフトウェア・ベースのアプリの形態とした論理センサーである、コンピューター実装方法。
【請求項４】
請求項１記載のコンピューター実装方法において、前記入力ソースの１つ以上が、当該入力ソースの１つ以上の発表と組み合わせて、信頼度レベルを提供する、コンピューター実装方法。
【請求項５】
請求項４記載のコンピューター実装方法において、前記出力イベントの１つ以上が、１つ以上の対応する発表の前記信頼度レベルに基づいてトリガーされる、コンピューター実装方法。
【請求項６】
請求項１記載のコンピューター実装方法であって、更に、前記サブスクライバーの１つ以上を入力ソースとして登録するプロセス・アクションを含む、コンピューター実装方法。
【請求項７】
イベント・データーを変換し配信するシステムであって、
変換、変形、およびデーター転送の任意の組み合わせを表す発表をイベント変換デバイスに供給するために、１つ以上の入力ソースを登録するデバイスと、
前記イベント変換デバイスから１つ以上の予め定められた出力イベントを受けるために、１つ以上の自動化サブスクライバーを登録するデバイスと、
各サブスクライバーが、デバイス、センサー、ソフトウェア・エージェントの任意の組み合わせを表し、
セキュリティ・ベースのアクセス・レベルを各サブスクライバーに関連付けるデバイスと、
任意の登録された入力ソースから受けた任意の発表に応答して、予め定められた発表変換、予め定められた発表変形、および予め定められた発表転送アクションの任意の組み合わせを使用して、前記１組の予め定められた出力イベントからの出力イベントの内１つ以上をトリガーするために前記イベント変換デバイスを使用し、
各出力イベントを各特定のサブスクライバーの前記アクセス・レベルに対応するように変更するデバイスと、
各変更された出力イベントを各々の対応するサブスクライバーに供給するデバイスと、
任意のサブスクライバーが任意の変更された出力イベントを受けて、当該変更された出力イベントに応答してそれ自身のアクションを制御すること、
を含む、システム。
【請求項８】
請求項７記載のシステムにおいて、
前記入力ソースの１つ以上が、当該入力ソースの１つ以上の発表と組み合わせて、信頼度レベルを提供し、
前記出力イベントの１つ以上が、１つ以上の対応する発表の前記信頼度レベルに基づいてトリガーされる、システム。
【請求項９】
請求項７記載のシステムであって、更に、前記サブスクライバーの１つ以上を入力ソースとして登録することを含み、入力ソースとして登録された前記サブスクライバーの１つ以上が、これらのサブスクライバーによって供給される前記出力イベントの１つ以上に応答して、新たな発表を前記イベント変換デバイスに供給する、システム。
【請求項１０】
情報を共有するためのコンピューター実行可能命令が格納されているコンピューター読み取り可能媒体であって、前記命令が、
変換、変形、およびデーター転送の任意の組み合わせを表す発表をイベント変換サービスに供給するために、１つ以上の入力ソースを登録するステップと、
前記イベント変換サービスから１つ以上の予め定められた出力イベントを受けるために、１つ以上の自動化サブスクライバーを登録するステップと、
各サブスクライバーが、デバイス、センサー、ソフトウェア・エージェントの任意の組み合わせを表すステップと、
セキュリティ・ベースのアクセス・レベルを各サブスクライバーに関連付けるステップと、
任意の登録された入力ソースから受けた任意の発表に応答して、予め定められた発表変換、予め定められた発表変形、および予め定められた発表転送アクションの任意の組み合わせを使用して、前記１組の予め定められた出力イベントからの出力イベントの内１つ以上をトリガーするために前記イベント変換サービスを使用するステップと、
各出力イベントを各特定のサブスクライバーの前記アクセス・レベルに対応するように変更するステップと、
前記イベント変換サービスによってトリガーされた任意の変更された出力イベントを、これらの特定の出力イベントを受けるために登録された任意の対応するサブスクライバーに供給するステップと、
前記イベント変換サービスから受けた任意の出力イベントに対して、各サブスクライバーが自動的に応答するステップと、 
を含む方法を計算デバイスに実行させる、コンピューター読み取り可能命令。
【手続補正書】
【提出日】平成28年9月15日(2016.9.15)
【手続補正１】
【補正対象書類名】特許請求の範囲
【補正対象項目名】全文
【補正方法】変更
【補正の内容】
【特許請求の範囲】
【請求項１】
仮想店舗空間を表示するように構成されたディスプレイを備え、前記仮想店舗空間は、第１の小売業者の第１の仮想在庫アイテムの第１の表現と、第２の異なる小売業者の第２の仮想在庫アイテムの第２の表現とを含み、前記第１及び第２の表現が、時間及びユーザアイデンティティの少なくとも１つに基づいて前記ディスプレイ上の前記第１の仮想在庫アイテムの第１の表現及び前記第２の仮想在庫アイテムの第２の表現の少なくとも１つの配置の変更を定めるポリシ又は規則を表す動的仮想プラノグラムに基づいて前記仮想店舗空間内で表示される第１のデバイスと、
前記第１及び第２の仮想在庫アイテムの少なくとも１つに関連するユーザ選択が入力されるように構成されたユーザインタフェースと、
ユーザ及び前記ユーザ選択に関連するアカウントデータを取得し、前記ユーザ選択に関連する取引を開始するように構成された取引デバイスとを備える対話型取引システム。
【請求項２】
前記変更は、削除、移動及び置換の少なくとも１つを含む請求項１記載のシステム。
【請求項３】
前記プラノグラムは、有料プラノグラムを含む請求項１記載のシステム。
【請求項４】
前記有料プラノグラムは、料金体系に基づく商品配置ポリシを含む請求項３記載のシステム。
【請求項５】
前記第１の小売業者は、分類体系における第１のクラスの商品の小売業者であり、前記第２の小売業者は、前記分類体系における別の第２のクラスの商品の小売業者である請求項１記載のシステム。
【請求項６】
前記分類体系は、米国特許商標庁に関連する商品及びサービスの国際分類である請求項５記載のシステム。
【請求項７】
前記第１の小売業者及び前記第２の小売業者は、第１の商業複合施設の小売業者である請求項１記載のシステム。
【請求項８】
前記第１のデバイスは、既存の商業複合施設の少なくとも一部のナビゲーション可能な表現を表示するように構成される請求項１記載のシステム。
【請求項９】
前記第１のデバイスは、前記既存の商業複合施設のネットワークを介して通信するように構成される請求項８記載のシステム。
【請求項１０】
前記第１のデバイスは、設置型情報装置（kiosk）を構成する請求項８記載のシステム。
【請求項１１】
前記第１及び第２の表現の少なくとも１つは、デジタルモデルを含む請求項１記載のシステム。
【請求項１２】
前記第１及び第２の表現の少なくとも１つは、動画を含む請求項１記載のシステム。
【請求項１３】
前記第１のデバイスは、公共輸送機関の駅に関連する請求項１記載のシステム。
【請求項１４】
前記公共輸送機関の駅は、空港である請求項１３記載のシステム。
【請求項１５】
前記公共輸送機関の駅は、鉄道駅である請求項１３記載のシステム。
【請求項１６】
前記公共輸送機関の駅は、バス停である請求項１３記載のシステム。
【請求項１７】
前記公共輸送機関の駅は、地下鉄駅である請求項１３記載のシステム。
【請求項１８】
前記第１のデバイスは、宿泊施設に関連する請求項１記載のシステム。
【請求項１９】
前記第１のデバイスは、観光サービスを提供する施設に関連する請求項１記載のシステム。
【請求項２０】
前記仮想店舗空間は、更に、第３の仮想在庫アイテムの第３の表現及び第４の仮想在庫アイテムの第４の表現を含み、前記第３及び第４の表現は、第２のプラノグラムに従って仮想店舗空間内で表示される請求項１記載の対話型取引システム。
【請求項２１】
前記プラノグラムは、仮想プラノグラムを含む請求項２０記載の対話型取引システム。
【請求項２２】
前記第１及び第２の表現は、第１の仮想棚に表示され、前記第３及び第４の表現は、第２の仮想棚に表示される請求項２０記載の対話型取引システム。
【請求項２３】
前記第２のプラノグラムは、静的プラノグラムを含む請求項２２記載の対話型取引システム。
【請求項２４】
前記第３及び第４の表現は、現実世界環境内のオブジェクトの認識に基づいて表示される請求項２２記載の対話型取引システム。
【請求項２５】
前記動的仮想プラノグラム及び前記第２のプラノグラムは、重なる請求項２０記載の対話型取引システム。
【請求項２６】
前記動的仮想プラノグラム及び前記第２のプラノグラムは、レイヤリングされる請求項２０記載の対話型取引システム。
【請求項２７】
前記第２のプラノグラムは、前記第１のデバイスによって取得されたセンサデータによってトリガされる請求項２５記載の対話型取引システム。
【請求項２８】
前記動的仮想プラノグラムは、プラノグラムマネージャによって管理され、前記プラノグラムマネージャは、前記対話型取引システムに関連するオーナ、小売業者、製造業者、ディストリビュータ及びベンダの少なくとも１つである請求項１記載の対話型取引システム。
【請求項２９】
前記ユーザインタフェースは、前記プラノグラムマネージャが、前記動的仮想プラノグラム及び前記第２のプラノグラムの少なくとも１つを介して、実時間でユーザと動的にインタラクトできるように構成される請求項２８記載の対話型取引システム。
【手続補正書】
【提出日】平成28年3月3日(2016.3.3)
【手続補正１】
【補正対象書類名】特許請求の範囲
【補正対象項目名】全文
【補正方法】変更
【補正の内容】
【特許請求の範囲】
【請求項１】
電子式物品監視（ＥＡＳ）システムのセキュリティ・タグを操作する方法であって、
モバイル販売時点情報管理（ＰＯＳ）デバイス上で、ＰＯＳ購買決済の実行を容易にするために前記モバイルＰＯＳデバイスに取り付けられた周辺デバイスの操作を制御するように操作可能なアプリケーションを実行し、
モバイルＰＯＳデバイスにより、物品からセキュリティ・タグを取り外すための要請を受信し、
この要請に応じて、第１の短距離通信を介して前記モバイルＰＯＳデバイスから前記周辺デバイスへメッセージを通信し、このメッセージは、前記周辺デバイスに前記物品から前記セキュリティ・タグを取り外すのを容易にさせるための操作を実行するように構成されており、及び、
前記周辺デバイスによる操作を実行することにより、前記セキュリティ・タグの取り外し機構の起動又は前記セキュリティ・タグに配置された接着剤の加熱を引き起こすことを含む方法。        
【請求項２】
請求項１の方法において、第１の短距離通信はブルートゥース通信である方法。
【請求項３】
請求項１の方法において、前記周辺デバイスは前記モバイルＰＯＳデバイスの少なくとも一部の周りを包む方法。
【請求項４】
請求項１の方法において、前記周辺デバイスからの第２の短距離通信を通信することによって小売店舗の安全な区域へのアクセスを獲得することを更に含む方法。
【請求項５】
請求項１の方法において、前記周辺デバイスからの第２の短距離通信を通信することによって大型装備へのアクセスを獲得することを更に含む方法。
【請求項６】
請求項１の方法において、
前記周辺デバイスにより、第２の短距離通信を介して前記物品についての物品情報を獲得し、及び、
第３の短距離通信を介して前記物品情報を前記周辺デバイスから前記モバイルＰＯＳデバイスへ転送することを更に含む方法。
【請求項７】
請求項１の方法において、
電子カード・リーダー又は前記周辺デバイスの短距離通信ユニットを用いて前記物品についての支払い情報を獲得し、及び、
この支払い情報を第２の短距離通信を介して前記周辺デバイスから前記モバイルＰＯＳデバイスへ転送することを更に含む方法。
【請求項８】
請求項１の方法において、小売りアイテム情報又は受領情報を第２の短距離通信を介して前記周辺デバイスからモバイル通信デバイスへ通信することを更に含む方法。
【請求項９】
請求項１の方法において、
前記周辺デバイスにより、第２の短距離通信を介して前記セキュリティ・タグについての固有識別子を獲得し、及び、
その固有識別子を第３の短距離通信を介して前記周辺デバイスから前記モバイルＰＯＳデバイスに転送することを更に含む方法。
【請求項１０】
請求項９の方法において、第２の短距離通信はバーコード通信又は近距離無線通信である方法。
【請求項１１】
電子式物品監視（ＥＡＳ）システムであって、
物品に取り付けられたセキュリティ・タグと、
モバイル販売時点情報管理（ＰＯＳ）デバイスであり、ＰＯＳ購買決済の実行を容易にするために周辺デバイスの操作を制御し、及び、前記物品から前記セキュリティ・タグを取り外すための要請を受信するように構成されたモバイルＰＯＳデバイスとを備え、
前記周辺デバイスは、前記モバイルＰＯＳデバイスへ結合されて、かつ、第１の短距離通信を介して前記モバイルＰＯＳデバイスからメッセージを受信し、このメッセージは、前記周辺デバイスに前記物品から前記セキュリティ・タグを取り外すのを容易にさせるための操作を実行し、及び、
前記セキュリティ・タグの取り外し機構の起動又は前記セキュリティ・タグに配置された接着剤の加熱を引き起こす操作を実行するように構成されているシステム。              
【請求項１２】
請求項１１のシステムにおいて、第１の短距離通信はブルートゥース通信であるシステム。
【請求項１３】
請求項１１のシステムにおいて、前記周辺デバイスは前記モバイルＰＯＳデバイスの少なくとも一部の周りを包むシステム。
【請求項１４】
請求項１１のシステムにおいて、前記周辺デバイスは更に、そこから第２の短距離通信を通信して、店舗従業員にアクセス可能な小売店舗の安全な区域を形成するように構成されているシステム。
【請求項１５】
請求項１１のシステムにおいて、前記周辺デバイスは更に、そこから第２の短距離通信を通信して、店舗従業員にアクセス可能な大型装備を形成するように構成されているシステム。
【請求項１６】
請求項１１のシステムにおいて、前記周辺デバイスは更に、
第２の短距離通信を介して前記物品についての物品情報を獲得し、及び、
第３の短距離通信を介して前記物品情報を前記モバイルＰＯＳデバイスへ転送するように構成されているシステム。
【請求項１７】
請求項１１のシステムにおいて、前記周辺デバイスは更に、
電子カード・リーダー又は前記周辺デバイスの短距離通信ユニットを用いて前記物品についての支払い情報を獲得し、及び、
この支払い情報を第２の短距離通信を介して前記モバイルＰＯＳデバイスへ転送するように構成されているシステム。
【請求項１８】
請求項１１のシステムにおいて、前記周辺デバイスは更に、小売りアイテム情報又は受領情報を第２の短距離通信を介してモバイル通信デバイスへ通信するように構成されているシステム。
【請求項１９】
請求項１１のシステムにおいて、前記周辺デバイスは更に、
第２の短距離通信を介して前記セキュリティ・タグについての固有識別子を獲得し、及び、
その固有識別子を第３の短距離通信を介して前記モバイルＰＯＳデバイスに転送するように構成されているシステム。
【請求項２０】
請求項１９のシステムにおいて、第２の短距離通信はバーコード通信又は近距離無線通信であるシステム。
【手続補正書】
【提出日】平成28年4月20日(2016.4.20)
【手続補正１】
【補正対象書類名】特許請求の範囲
【補正対象項目名】全文
【補正方法】変更
【補正の内容】
【特許請求の範囲】
【請求項１】
ソーシャル・ネットワーキング・システムにおいて、複数のユーザと、前記ソーシャル・ネットワーキング・システムによって維持される複数のオブジェクトとの間の関連付けを記憶する工程と、
前記ソーシャル・ネットワーキング・システムによって維持されるターゲット・オブジェクトを識別する工程と、
記憶された前記関連付けから前記ターゲット・オブジェクトに関連付けられているユーザのセットを識別する工程であって、前記ユーザのセットは、複数のユーザを含む、工程と、
前記ユーザのセットに対して親和性のセットを決定する工程であって、前記親和性のセットは、前記ターゲット・オブジェクトに対する前記複数のユーザの各々の親和性を含む、工程と、
前記親和性のセットの各々に重みを適用して重み付けされた親和性を生成する工程と、重み付けされた前記親和性の平均値を決定する工程とによって、前記ターゲット・オブジェクトに関連付けられる影響度メトリックを前記親和性のセットに基づいて生成する工程であって、前記影響度メトリックは、全体として前記ユーザのセットに対する前記ターゲット・オブジェクトの関連性を表す、第１の影響度メトリック生成工程と、
前記影響度メトリックを記憶する工程と、を備える方法。
【請求項２】
前記ターゲット・オブジェクトは、ユーザ、ページ、グループ、およびコンテンツ・アイテムのうちの１つを含む、請求項１に記載の方法。
【請求項３】
親和性に適用される重みは、前記親和性に関連付けられているユーザの特徴に少なくとも一部基づいている、請求項１に記載の方法。
【請求項４】
前記特徴は、前記ユーザと前記ターゲット・オブジェクトとの間の最新の対話の時間である、請求項３に記載の方法。
【請求項５】
前記第１の影響度メトリック生成工程は、
重み付けされた前記親和性の中央値を決定する工程をさらに備える、請求項１に記載の方法。
【請求項６】
ソーシャル・ネットワーキング・システムによって維持されるターゲット・オブジェクトを識別する工程と、
前記ターゲット・オブジェクトに関連付けられているユーザのセットを記憶された情報に基づいて識別する工程であって、前記情報は、ユーザによって行われる対話と、ユーザと前記ソーシャル・ネットワーキング・システムによって維持されるオブジェクトとの間におけるつながりとについて記述する、工程と、
前記ユーザのセットに対して親和性のセットを決定する工程であって、前記親和性のセットは、前記ターゲット・オブジェクトに対する複数のユーザの各々の親和性を含む、工程と、
前記親和性のセットの各々に重みを適用して重み付けされた親和性を生成する工程と、重み付けされた前記親和性の平均値を決定する工程とによって、前記ターゲット・オブジェクトに関連付けられる影響度メトリックを前記親和性のセットに基づいて生成する工程であって、前記影響度メトリックは、全体として前記ユーザのセットに対する前記ターゲット・オブジェクトの関連性を表す、第１の影響度メトリック生成工程と、
前記ターゲット・オブジェクトに関連付けられる前記影響度メトリックに少なくとも一部基づいて、１以上のさらなるユーザに前記ターゲット・オブジェクトに関連付けられているストーリを提示するか否かを決定する、ストーリ提示決定工程と、を備える方法。
【請求項７】
前記ストーリ提示決定工程は、
前記ターゲット・オブジェクトに関連付けられる前記影響度メトリックが、少なくとも閾値である場合、さらなるユーザに前記ストーリについて記述している通知メッセージを送信する工程を備える、請求項６に記載の方法。
【請求項８】
前記ストーリ提示決定工程は、
さらなるユーザに関連付けられている位置、前記ターゲット・オブジェクトに関連付けられている位置、および前記ターゲット・オブジェクトに関連付けられる影響度メトリックに基づいて、前記さらなるユーザに前記ターゲット・オブジェクトに関連付けられている前記ストーリを提示するか否かを決定する工程を備える、請求項６に記載の方法。
【請求項９】
親和性に適用される重みは、前記親和性に関連付けられているユーザの特徴に少なくとも一部基づいている、請求項６に記載の方法。
【請求項１０】
ソーシャル・ネットワーキング・システムによって維持されるターゲット・オブジェクトを識別する工程と、
前記ターゲット・オブジェクトに関連付けられているユーザのセットを記憶された情報に基づいて識別する工程であって、前記情報は、ユーザによって行われる対話と、ユーザと前記ソーシャル・ネットワーキング・システムによって維持されるオブジェクトとの間におけるつながりとについて記述する、工程と、
前記ユーザのセットに対して親和性のセットを決定する工程であって、前記親和性のセットは、前記ターゲット・オブジェクトに対する識別された前記ユーザの各々の親和性を含む、工程と、
前記親和性のセットの各々に重みを適用して重み付けされた親和性を生成する工程と、重み付けされた前記親和性の平均値を決定する工程とによって、前記ターゲット・オブジェクトに関連付けられる影響度メトリックを前記親和性に基づいて生成する工程であって、前記影響度メトリックは、全体として識別された前記ユーザに対する前記ターゲット・オブジェクトの関連性を表す、工程と、
前記ターゲット・オブジェクトに関連付けられている広告を識別する工程と、
前記ターゲット・オブジェクトに関連付けられる前記影響度メトリックに少なくとも一部基づいて、１以上のさらなるユーザに前記ターゲット・オブジェクトに関連付けられて
いる前記広告を提示するか否かを決定する工程と、を備える方法。